(57)【要約】　　　（修正有）【課題】１人で、水平度の正しい取り付けが可能で、安全性の高い、繰り返し使用可能な治具を提供する。【解決手段】壁の型枠の上部に正確な姿勢で脱着容易な大引きバタ受であって、水平部２ｂの短いショートアーム１又は水平部７ｂの長いロングアーム６とし、大引き１７を積載するための受け面４ａ、７ｅを有する治具とする。また、壁の型枠の上部に取り付けたときに受け面４ａ、７ｅが水平の面であって、壁の型枠の上端と前記受け面との垂直距離を、大引き１７と根太１８の寸法を加えた値の治具とする。さらに、スライドと位置決めが容易な止め部５を有するものとする。【選択図】　　　　　　　図１
0003098214.tif 000002
【実用新案登録請求の範囲】
【請求項１】
フレーム及び止め部を有する大引きバタ受であって、前記フレームは掛け部を有し、前記掛け部は掛け面と指部を有するものとし、また、前記フレームは前記止め部をスライド可能に保持するものとし、前記止め部を所定の位置に位置決めする固定具を設け、さらに、前記フレームの一部を受け面とするか又は前記フレームに受け面を有する受け部を設けたことを特徴とする大引きバタ受。
【請求項２】
請求項１に記載した大引きバタ受であって、フレームの形状を垂直部と短尺の水平部とを有するものとし、前記垂直部の上部に掛け部を設け、前記水平部の上部に受け部を設け、前記掛け部と前記受け部とが前記垂直部を挟んで互いに相反する位置になるようにしたことを特徴とする大引きバタ受。
【請求項３】
請求項１に記載した大引きバタ受であって、フレームの形状を垂直部と水平部とを有するものとし、前記垂直部の上部に掛け部を設け、前記水平部を長尺としその上面を受け部とし、前記掛け部と前記受け部とが前記垂直部を挟んで互いに相反する位置になるようにしたことを特徴とする大引きバタ受。
【請求項４】
請求項３に記載した大引きバタ受であって、水平部の上面に受け面を有する受け部を設けたことを特徴とする大引きバタ受。
【請求項５】
請求項１乃至請求項４のいずれかに記載した大引きバタ受であって、止め部の固定具をガイドに明けた固定穴と、前記止め部に明けた止め穴及びピンで構成したことを特徴とする大引きバタ受。
【請求項６】
請求項１乃至請求項５のいずれかに記載した大引きバタ受であって、止め部をスライド可能に保持するガイド及び前記止め部を大小の角パイプで構成したことを特徴とする大引きバタ受。
【請求項７】
請求項１乃至請求項６のいずれかに記載した大引きバタ受であって、受け部又は受け面にクギ穴を設けたことを特徴とする大引きバタ受。
【考案の詳細な説明】
【０００１】
【考案の属する技術分野】
本考案は、コンクリート建造物を施工するときに仮設する型枠であって、床スラブ、庇、廊下、ベランダなど、水平面となるコンクリートを施工する場合に必要となる、下側せき板を正確に取り付ける工事を容易にする治具に関する。
【０００２】
【従来の技術】
従来、床スラブの下側せき板を施工する場合は、左右の壁を構成するための型枠を仮設した後に、前記型枠の内側せき板に多数の棧木（通常は３０ｍｍ×６０ｍｍの断面の木材が使用される。）を現場合わせにより仮に取り付け、その後前記棧木の下に複数の根太（通常は６０ｍｍの角材が使用される。）や大引き（通常９０ｍｍの角材が使用される。）を取り付けた後に、下側から多数の支柱で保持して水平を出し、その後前記棧木を取り外しながら床スラブの下側せき板を取り付けていた。
また、庇、廊下、ベランダなどの下側せき板を施工する場合は、壁の型枠の外側せき板と足場との間に多数の棧木を仮に取り付け、その後前記棧木の下に複数の根太や大引きを取り付けた後に、下側から多数の支柱で保持して水平を出し、その後前記棧木を取り外しながら庇等の下側せき板を取り付けていた。
このような従来の工法では、棧木を仮に取り付けるときに複数の作業者を要する問題を有していた。また、現場合わせで仮の取り付けを行うため、根太や大引き及び下側せき板の水平度を容易に出すことができない問題を有していた。
また、比較的重量の重い材料を持った状態で、仮の取り付けをクギ打ちや番線を巻き付けるなどして行っているため、作業性の悪い困難な作業を足場の悪い高所で行うこととなり安全性の面で問題を有していた。
また、仮に取り付ける棧木は廃材となりこれを廃棄するため、資源の無駄な消費を来す問題を有していた。
【０００３】
【考案が解決しようとする課題】
本考案は、上記した従来技術の欠点を除くためなされたもので、大引きを下から保持する受け面を有する大引きバタ受であって、１人で設置可能なものを提供することにある。
また、外壁の型枠に取り付けたときに、自動的に所定の高さかつ水平度の正しい受け面を提供する大引きバタ受とすることにより、水平度の正しい根太や大引きを取り付けを可能とし、ひいては水平度の正しい下側せき板の施工を容易にした治具を提供することにある。
また、大引きの取り付けを大引きバタ受の受け面に載せる作業とし、クギ穴を使用して大引きを仮固定することを可能とすることにより、高所作業を楽な作業として安全性の高い施工を可能とすることにある。
さらに、何回も繰り返し使用可能な大引きバタ受とすることにより、工事に伴い発生する廃材の減少を可能とし、資源の無駄な消費をしない工事を可能とすることにある。
【０００４】
【課題を解決するための手段】
壁の型枠の上部に脱着容易な大引きバタ受であって、大引きの下面を保持するための受け面を有する治具とする。
また、前記大引きバタ受を壁の型枠の上部に取り付けたときに前記受け面が水平の面であって、壁の型枠の上端と前記受け面との垂直距離を所定の値とした治具とする。
ここで前記所定の値とは、床スラブ、庇、廊下、ベランダなどの下側せき板の下面と大引きの下面との間隔をいい、通常は大引きと根太の高さ寸法を加えた寸法となる。
【０００５】
【考案の実施の形態】
請求項１の考案は、フレーム及び止め部を有する大引きバタ受であって、前記フレームは掛け部を有し、前記掛け部は掛け面と指部を有するものとし、また、前記フレームは前記止め部をスライド可能に保持するものとし、前記止め部を所定の位置に位置決めする固定具を設け、さらに、前記フレームの一部を受け面とするか又は前記フレームに受け面を有する受け部を設けた大引きバタ受とする。前記掛け面は、前記大引きバタ受にかかる負荷及び自重を支える面で、前記指部は大引きバタ受にかかる偶力を前記止め部と一緒に支えるものである。共に負荷に対応して接触面に発生する面圧に対して、壁の型枠のせき板が耐えるような面積であればその形状にこだわるものではない。
また、前記止め部をスライド可能に保持させたのは、大引きや根太を前記受け面に載せた状態で、前記大引きバタ受を取り外すことを容易にするためである。スライド可能に保持する方法には、大径の円筒形状のガイドと前記より小さな円柱形状の止め部とする構成や、大きな四角形状のガイドと前記より小さな四角形状の止め部とする構成や、ありみぞやＴ溝などを使用する方法などあり特にその構成についてこだわるものではない。
また、前記止め部の所定の位置は、止め部の先端面を壁の型枠のせき板の面に当てる場合は、前記指部の指接面と前記止め部の先端面との水平距離が、前記壁の型枠のせき板の厚さと同じ寸法となる位置をいう。
一方、前記先端面をフォームタイを固定する横端太の外面に当てる場合には、前記指接面と前記先端面との水平距離が、前記壁の型枠のせき板の内面と前記横端太の外面との間の距離になるようにする。
また、前記固定具は、穴とピンとの組合せによるものや、ネジとボルトを使用してボルトを止め部に押し付けて固定するものや、偏心軸を回転させて止め部を押し付けて固定する方法や、楔を打ち込むことにより固定する方法などが考えられその構成についてこだわるものではない。
さらに、前記掛け面と前記受け面との垂直距離をそれぞれの工事において使用する大引きと根太を加えた高さ寸法とする。
【０００６】
請求項２の考案は、請求項１に記載した大引きバタ受であって、フレームの形状を垂直部と短尺の水平部とを有するものとし、前記垂直部の上部に掛け部を設け、前記水平部の上部に受け部を設け、前記掛け部と前記受け部とが前記垂直部を挟んで互いに相反する位置になるようにした大引きバタ受とする。
ここで前記短尺の水平部とは、水平部の長さを１００ｍｍ〜４００ｍｍとしたものをいい、水平部の長さが短いことからショートアームと呼ばれている。
ショートアームの大引きバタ受けでは、前記受け部の寸法を使用する大引きが丁度載る寸法にすることにより大引きの位置決めが容易になる。
請求項３の考案は、請求項１に記載した大引きバタ受であって、フレームの形状を垂直部と長尺の水平部とを有するものとし、前記垂直部の上部に掛け部を設け、前記水平部の上面を受け部とし、前記掛け部と前記受け部とが前記垂直部を挟んで互いに相反する位置になるようにした大引きバタ受とする。
ここで前記長尺の水平部とは、水平部の長さが４００ｍｍ以上あればよく特にその長さを限定するものではないが、通常は水平部の長さを２５００ｍｍ以下とすることが好ましい。このタイプの大引きバタ受は、水平部の長さが長いことからロングアームと呼ばれている。
請求項４の考案は、請求項３に記載した大引きバタ受であって、水平部の上面に受け面を有する受け部を設けた大引きバタ受とする。
あらかじめ大引きを取り付ける位置が決まっている場合は、大引きが位置ずれしない受け部とした方が作業が容易になるからである。
【０００７】
請求項５の考案は、請求項１乃至請求項４のいずれかに記載した大引きバタ受であって、止め部の固定具をガイドに明けた固定穴と、前記止め部に明けた止め穴及びピンとで構成した大引きバタ受とする。
本考案は、前記ガイドに固定穴を前記止め部に止め穴をそれぞれ明けておき、ピンを差し込むことにより固定する構成としたものである。止め部の先端面は、壁の型枠のせき板の面に当てる場合と、フォームタイを固定する横端太の外面に当てる場合とあるので、それぞれの条件に合わせ、前記ガイドに明ける固定穴又は前記止め部に明ける止め穴の、いずれかを２個明けておくことが好ましい。
請求項６の考案は、請求項１乃至請求項５のいずれかに記載した大引きバタ受であって、止め部をスライド可能に保持するガイド及び前記止め部を大小の角パイプで構成した大引きバタ受とする。
前記止め部をスライド可能に保持する方法として角パイプを使用した構成としたものである。必要な剛性を維持しつつ材料を軽量化する点で好ましい。
請求項７の考案は、請求項１乃至請求項６のいずれかに記載した大引きバタ受であって、受け部又は受け面にクギ穴を設けた大引きバタ受とする。
受け面等にクギ穴を明けておき、前記クギ穴を通して大引きに釘を打つことにより、大引きを受け面に仮固定することが可能となり、大引きが位置ずれすることがなくなり作業性と安全性が向上する。
【０００８】
【実施例】
以下本考案の第１実施例を図１に示し説明する。第１実施例はフレーム２と止め部５を有する大引きバタ受であって、フレームの水平部２ｂが短尺であるためショートアーム１と呼ばれる大引きバタ受である。
フレーム２は垂直部２ａと水平部２ｂとを直角に結合し、垂直部２ａの上部に掛け部３を、水平部２ｂの先端に受け部４を、水平部２ｂと垂直部２ａの交点部の下にガイド８をそれぞれ取り付けてなる形状とした。
掛け部３は平鋼の両端をそれぞれ直角に折り曲げ、一方を指部３ａとし他方を垂直部２ａに当てて取り付け、垂直部２ａに対して掛け面３ｂが水平になるように構成した。
本実施例では９０ｍｍ角の木材を大引きとしてまた６０ｍｍ角の角パイプを根太として使用するので、掛け面３ｂと受け面４ａとの垂直距離を１５０ｍｍとした。
また受け部４は、９０ｍｍの幅を有する水平面たる受け面４ａと、前記９０ｍｍの両端を折り曲げ、一方を傾斜面４ｃとし他方を直角に折り曲げて垂直面４ｄとし、前記垂直面４ｄにクギ穴４ｂを設けたものとした。
ガイド８は角パイプとし、側面に固定穴８ａを明けた。そして、ガイド８の角パイプより少し小さな角パイプからなる止め部５をガイド８に挿入し、水平部２ｂと平行方向にスライド可能に取り付けた。
本実施例ではせき板１２ａ、１２ｂとして１２ｍｍのベニヤ合板を使用し、ベニヤ合板の補強用の棧木１４として３０ｍｍ×６０ｍｍの木材を使用するので、棧木１４を含めたせき板１２全体の寸法が７２ｍｍとなる。
また、フォームタイ１６を取り付ける部分では６０ｍｍ角の角パイプを横端太１５として使用する。
また、ショートアーム１を取り付けたときに、先端面５ｃがせき板１２ａの外面に当たる場合と、先端面５ｃが横端太１５に当たる場合とが考えられる。
そこで、止め具５の先端には板を取り付けて先端面５ｃとし、掛け部３の指接面３ｃと先端面５ｃとの水平距離を１２ｍｍとする位置及び指接面３ｃと先端面５ｃとの水平距離を１３２ｍｍとする位置の両方の位置に止め具５を固定するよう２個の止め穴５ｂを設けてなるものとした。
また、ピン９を設け図示しないクサリを使用してフレーム２に吊り下げておいた。
【０００９】
続いて実施例１の使用方法を図２に示し説明する。図２は右側に屋内２５と屋外２６とを仕切る外壁コンクリートのための、外壁空間１１を有する内側せき板１２ａ、外側せき板１２ｂ、棧木１４、横端太１５、フォームタイ１６、クサビ２３などからなる型枠を表した。実際には、外壁空間１１には鉄筋を取り付けるが図面上は省略して記載した。
本実施例のショートアーム１は床スラブの下側せき板１９を取り付けるためのものである。図２には右側の一部しか表示していないが、実際には左右両方の外壁コンクリート用の型枠にそれぞれショートアーム１を取り付け、左右に取り付けたショートアーム１の受け面４ａに大引き１７を積載する。
ショートアーム１は内側せき板１２ａの上面に掛け面３ｂを載せ、指接面３ｃを内側せき板１２ａの外壁空間１１側の面に接触させる。そして、止め部５をスライドさせ先端面５ｃを内側せき板１２ａの室内２５側の面に接触させてピン９を固定穴８ａと止め穴５ｂに差し込んで止め部５を固定する。
せき板１２ａは１２ｍｍであり、指接面３ｃと先端面５ｃとの水平距離を１２ｍｍとする位置に止め具５を固定すると、ショートアーム１は内側せき板１２ａに固定される。
このようにして左右の型枠にそれぞれショートアーム１を取り付け、左右に取り付けたショートアーム１の受け面４ａに大引き１７を積載する。大引き１７を積載した後にクギ穴４ｂを通してクギを仮打ちしておくと、ショートアーム１に対して大引き１７を仮固定することができる。
所定の間隔を空けて左右のショートアーム１と大引き１７の組合せを多数設置した後に、大引き１７と直交させるようにして多数の根太１８を積載し、大引き１７の下に長さを調節可能とした多数の支柱２１を設けて床面２２により支持した後に、ショートアーム１を取り外しつつ、根太１８の上に床スラブの下側せき板１９を取り付ける。
【００１０】
次ぎに本考案の第２実施例を図３に示し説明する。第２実施例はフレーム７と止め部５を有する大引きバタ受であって、フレームの水平部７ｂが長尺であるためロングアーム６と呼ばれる大引きバタ受である。
フレーム７は垂直部７ａと水平部７ｂとを直角に結合し、垂直部７ａの上部に掛け部３を、垂直部７ａの下にガイド８をそれぞれ取り付け、補強部材７ｃ、７ｄを有する形状とした。
掛け部３は実施例１と同様とした。また、水平部７ｂの上面を受け面７ｅとした。
本実施例でも、実施例１と同じサイズの大引きと根太をそれぞれ使用するので、掛け面３ｂと受け面７ｅとの垂直距離を１５０ｍｍとした。
本実施例でも、実施例１と同じサイズのせき板１２ａ、１２ｂ、棧木１４及び横端太１５を使用する。そこで、ガイド８と止め部５の構成及び止め具５を固定したときの指接面３ｃと先端面５ｃとの水平距離を１２ｍｍ及び１３２ｍｍの２段とすることも実施例１と同様とした。
【００１１】
続いて実施例２の使用方法を図４に示し説明する。図４は右側に屋内２５と屋外とを仕切る外壁コンクリートのための外壁空間１１を有する内側せき板１２ａ、外側せき板１２ｂ、棧木１４、横端太１５、フォームタイ１６、クサビ２３などからなる型枠を表した。実際には、外壁空間１１には鉄筋を取り付けるが図面上は省略して記載した。
本実施例のロングアーム６は庇、廊下、ベランダなどの下面に当たるベランダ等の下側せき板２４を取り付けるためのものである。
ロングアーム６は外側せき板１２ｂの上面に掛け面３ｂを載せ、指接面３ｃを外側せき板１２ｂの外壁空間１１側の面に接触させる。そして、止め部５をスライドさせ先端面５ｃを横根太１５に接触させてピン９を固定穴８ａと止め穴５ｂに差し込んで止め部５を固定する。
せき板１２ｂ、棧木１４及び横端太１５を加えた寸法は１３２ｍｍであり、指接面３ｃと先端面５ｃとの水平距離を１３２ｍｍとする位置に止め具５を固定すると、ロングアーム６は外側せき板１２ｂに固定される。
このようにして型枠の屋外２６側に、ロングアーム６を適宜間隔を空けて多数取り付け、さらに適宜間隔を空けて、受け面７ｅの上に大引き１７を複数本積載する。その後に、大引き１７と直交させるようにして多数の根太１８を積載し、大引き１７の下に長さを調節可能とした多数の支柱２１を設けて支持した後に、ロングアーム６を取り外しつつ、根太１８の上にベランダ等の下側せき板２４を取り付ける。
【００１２】
【考案の効果】
本考案に係る大引きバタ受はショートアームもロングアームも共に軽量であり、外壁の型枠の上部に積載して取り付ける構成としたため、作業者が１人で設置可能な大引きバタ枠を提供することができた。
また外壁の型枠に取り付けたときに、自動的に所定の高さとなり水平度の正しい受け面となる大引きバタ受としたため、水平度の正しい根太や大引きの取り付けを可能とし、ひいては水平度の正しい下側せき板の施工を容易にした治具を提供することができた。
また、大引きの取り付けを大引きバタ受の受け面に載せる作業とし、クギ穴を使用して大引きを仮固定することを可能とすることにより、高所で行う作業を楽で安全性の高い作業とすることができた。
さらに、何回も繰り返し使用可能な大引きバタ受とすることにより、工事に伴い発生する廃材の減少を可能とし、資源の無駄な消費をしない工法を提供することができた。
【図面の簡単な説明】
【図１】第１実施例たるショートアームの斜視図である。
【図２】第１実施例たるショートアームの使用状態を示す部分断面図である。
【図３】第２実施例たるロングアームの斜視図である。
【図４】第２実施例たるロングアームの使用状態を示す部分断面図である。
【符号の説明】
１　：ショートアーム　　　２　：フレーム　　　　　２ａ：垂直部
２ｂ：水平部　　　　　　　３　：掛け部　　　　　　３ａ：指部
３ｂ：掛け面　　　　　　　３ｃ：指接面　　　　　　４　：受け部
４ａ：受け面　　　　　　　４ｂ：クギ穴　　　　　　４ｃ：傾斜面
４ｄ：垂直面　　　　　　　５　：止め部　　　　　　５ｂ：止め穴
５ｃ：先端面　　　　　　　６　：ロングアーム　　　７　：フレーム
７ａ：垂直部　　　　　　　７ｂ：水平部　　　　　　７ｃ：補強部材
７ｄ：補強部材　　　　　　７ｅ：受け面　　　　　　８　：ガイド
８ａ：固定穴　　　　　　　９　：ピン　　　　　　１１　：外壁空間
１２ａ：内側せき板　　　　１２ｂ：外側せき板　　　１４　：棧木
１５　：横端太　　　　　　１６　：フォームタイ　　１７　：大引き
１８　：根太　　　　　　　１９　：下側せき板　　　２１　：支柱
２２　：床面　　　　　　　２３　：クサビ　　　　　２４　：下側せき板
２５　：屋内　　　　　　　２６　：屋外
【図１】
0003098214.tif 000003
【図２】
0003098214.tif 000004
【図３】
0003098214.tif 000005
【図４】
0003098214.tif 000006